【事件の表示】
　特許第３４０６９２９号「画像通信装置」の請求項１、７に係る特許に対する特許異議の申立てについて、次のとおり決定する。
【結　論】
　訂正を認める。
　特許第３４０６９２９号の請求項１、５に係る特許を維持する。
【理　由】
１．手続の経緯
　特許第３４０６９２９号の請求項１，７（下記訂正前）に係る発明についての特許出願は平成５年１１月３０日にされたもので、平成１５年３月７日にその発明について特許の設定登録がなされた後、その特許について高橋　四郎より特許異議の申立てがなされ、取消理由が通知され、その指定期間内である平成１６年５月１１日に訂正請求がなされたものである。
　
２．訂正の適否
（１）訂正の内容
訂正事項ａ：特許請求の範囲を以下のように訂正する。
「【特許請求の範囲】
　　【請求項１】　ファクシミリ部とプリンタ部とを有する画像通信装置であって、
　前記ファクシミリ部は、画像データを受信する受信手段と、前記受信手段によって受信された画像データを格納する格納手段と、前記格納手段に格納された画像データの解像度を変換する解像度変換手段と、前記解像度変換手段によって変換された画像データを前記プリンタ部に転送する手段と、前記格納手段に格納された画像データを前記解像度変換手段で変換しプリンタ部に転送するよう制御する第１の制御手段とを有し、
　更に前記プリンタ部は、
インク滴を吐出することにより画像を記録する記録ヘッドと、
ラインデータを記録ヘッドのノズル配列に合わせて
　前記横縦変換手段によって横縦変換されたデータに応じて記録材上に画像を記録する記録手段と、前記受信手段で受信されたデータを前記横縦変換手段で変換し前記記録手段で記録を行うよう制御する第２の制御手段とを有し、
　
前記ファクシミリ部は、前記解像度変換手段により解像度変換された所定量のデータが全て所定のデータであることを検知する検知手段を有し、前記転送手段は前記検知手段により全て所定のデータであると検知された所定量のデータをコマンドで転送し、他のデータをドットイメージデータで転送することを特徴とすることを特徴とする画像通信装置。
　　【
請求項２
請求項１
　　【
請求項３
　　【
請求項４
請求項１
　　【
請求項５
　　【
請求項６
　更に、前記プリンタ部は、前記ファクシミリ部から転送されるデータを受信する受信手段と、
　前記ファクシミリ部から転送されるデータを一時的に蓄積する第２のバッファ手段と、前記第２のバッファ手段のデータを復号する復号手段と、前記復号化手段で復号されたデータを一時的に蓄積する第３のバッファ手段と、
　前記第３のバッファ手段のデータを横縦変換する横縦変換手段と、
　前記横縦変換手段で横縦変換されたデータを一時的に蓄積する第４のバッファ手段と、前記第４のバッファ手段のデータを記録する記録手段と、前記横縦変換手段によってデータを横縦変換し前記第４のバッファに蓄積させるよう制御する第２の制御手段とを有することを特徴とする画像通信装置。
　　【
請求項７
請求項６
　　【
請求項８
請求項７
　　【
請求項９
請求項７又は８
　　【
請求項１０
請求項６
　　【
請求項１１
請求項６
　　【
請求項１２
　前記第４バッファ手段内のデータの黒データの存在範囲を検知する範囲検知手段と、
　前記黒データの存在範囲を示すデータを記憶する記憶手段と、
　前記記録ヘッドの位置に応じた信号をカウントするカウンタ手段とを有し、
　前記カウンタ手段のカウント値と前記記憶手段内の黒データの存在範囲を示すデータとに応じて前記記録手段による記録の開始、又はパルスモータ駆動用の信号をカウントするよう制御することを特徴とする
請求項６
　　【
請求項１３
請求項６
　　【
請求項１４
請求項１２
　　【
請求項１５
請求項１４
　　【
請求項１６
することを特徴とする
請求項６乃至１５
　　【
請求項１７
請求項１６
訂正事項ｂ：段落【００１０】を
「【００１０】
【課題を解決するための手段】
　上記目的を達成するため、本発明による画像通信装置は、ファクシミリ部とプリンタ部とを有する画像通信装置であって、前記ファクシミリ部は、画像データを受信する受信手段と、前記受信手段によって受信された画像データを格納する格納手段と、前記格納手段に格納された画像データの解像度を変換する解像度変換手段と、前記解像度変換手段によって変換された画像データを前記プリンタ部に転送する手段と、前記格納手段に格納された画像データを前記解像度変換手段で変換しプリンタ部に転送するよう制御する第１の制御手段とを有し、更に前記プリンタ部は、インク滴を吐出することにより画像を記録する記録ヘッドと、前記ファクシミリ部から転送されるデータを受信する受信手段と、前記受信手段で受信されたラインデータを記録ヘッドのノズル配列に合わせて横縦変換する横縦変換手段と、前記横縦変換手段によって横縦変換されたデータに応じて記録材上に画像を記録する記録手段と、前記受信手段で受信されたデータを前記横縦変換手段で変換し前記記録手段で記録を行うよう制御する第２の制御手段とを有し、前記ファクシミリ部は、前記解像度変換手段により解像度変換された所定量のデータが全て所定のデータであることを検知する検知手段を有し、前記転送手段は前記検知手段により全て所定のデータであると検知された所定量のデータをコマンドで転送し、他のデータをドットイメージデータで転送することを特徴とすることを特徴とする。」
と訂正する。
　
（２）訂正の目的の適否、新規事項の有無、及び特許請求の範囲の拡張・変更の存否
　（ア）訂正事項ａのうち、訂正明細書の請求項１については、訂正前の請求項１に構成要件を加え、訂正明細書の請求項２〜５は訂正後の請求項１を引用することにより構成要件が加わっているから、いずれも、特許請求の範囲の減縮を目的とした明細書の訂正に該当し、願書に添付した明細書又は図面に記載した事項の範囲内においてされたものであり、実質上特許請求の範囲を拡張し、又は変更するものではない。
　また、訂正明細書の請求項６〜１７については、単に請求項に付す番号を訂正したものであるから、明りょうでない記載の釈明を目的とするものであり、願書に添付した明細書又は図面に記載した事項の範囲内においてされたものであり、実質上特許請求の範囲を拡張し、又は変更するものではない。
　（イ）訂正事項ｂは、訂正事項ａにおいて訂正された記載との整合をとるために発明の詳細な説明の記載を訂正するものであり、明りょうでない記載の釈明を目的とするものである。そして、訂正事項ｂは、願書に添付した明細書又は図面に記載した事項の範囲内においてされたものであり、また、実質上特許請求の範囲を拡張し、又は変更するものではない。
　
（３）独立特許要件
　訂正明細書の請求項２〜４に係る訂正は、特許異議の申立がされていない請求項についての訂正であって、特許請求の範囲の減縮を目的としたものに該当するから、訂正明細書の請求項２〜４に係る発明の独立特許要件について以下検討する。
　訂正明細書の請求項２〜４に係る発明は、訂正明細書の特許請求の範囲の請求項２〜４に記載された事項により特定されたとおりのものであって（上記（１）訂正の内容参照。）、同請求項１に係る発明の構成要件を全て含むものである。
　そして、当該請求項１に係る発明が下記３．（４）のように、申立人が提出した全刊行物に記載された発明に基づいて当業者が容易に発明できたものと認めることができないので、同様の理由により、訂正明細書の請求項２〜４に係る発明は、申立人が提出した全刊行物に記載された発明に基づいて当業者が容易に発明できたものと認めることができない。
　また、他に特許を受けることができないものとする理由を発見しない。
　したがって、訂正明細書の請求項２〜４に係る発明は、出願の際、独立して特許を受けることができるものである。
　
（４）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
（１）申立ての概要
　申立人高橋　四郎は、下記の甲第１〜３号証より、請求項１に係る発明が、及び甲第１〜４号証より、請求項５（訂正前の請求項７）に係る発明の特許が、特許法第２９条第２項の規定に違反してなされたものであり、また、請求項１における「前記受信手段で受信されたデータを横縦変換する横縦変換手段」の「横縦変換」の技術的意義が不明であるから特許法第３６条第５項に規定する要件を満たしていないものであり、したがって該請求項に係る発明を取り消すべき旨主張している。
　甲第１号証：特開平　５−２６４１号公報
　甲第２号証：特公昭６２−１６５９６号公報
　甲第３号証：特開平　４−３５３９６７号公報
　甲第４号証：特開平　３−２３４６２７号公報
　
（２）請求項１及び５に係る発明
　前示のとおり訂正請求は認められるから、本件請求項１，５に係る発明は、訂正明細書の特許請求の範囲の請求項１，５に記載されたとおりのものである（上記２．（１）参照。）。
　
（３）引用刊行物に記載された発明
　当審で通知した取消しの理由に引用された刊行物１（甲第１号証）には、「ファクシミリインターフェース回路と電子タイプライタとを有するシステムであって、ファクシミリインターフェースは、デジタル画像データを電話回線に出力するためのモデム及びインターフェース回路と、データバッファとして用いられるＲＡＭと、インターフェース回路と電子タイプライタとの間のドット密度変換と、電子タイプライタのＣＰＵとファクシミリインターフェースのＣＰＵとの間でのデータのやりとりを行うデジタル信号処理部と、インターフェース回路全体を制御するためのＣＰＵとを有するシステム。」が記載されている。
　同じく刊行物２（甲第２号証）には、「ファクシミリ装置に接続する情報処理装置であって、ファクシミリ装置に接続するための外部制御回路と、インクジェットノズルに印加するに適した画素信号配列とする出力データ処理装置と、インクジェットノズルを含む記録器と、画素信号をインクジェットノズル駆動回路に印加する出力データ処理装置とを有する情報処理装置。」が記載されている。
　同じく刊行物３（甲第３号証）には、「バブルジェットプリンタを備える文書処理装置において、文書処理用マイクロコンピュータとファクシミリ用マイクロコンピュータとが、データ列の変換処理とドット密度変換処理とを分担して行う文書処理装置。」が記載されている。
　同じく刊行物４（甲第４号証）には、「ＦＡＸ受信したデータを書き込んだファイルから３２ライン分リードし、プリンタ制御プログラムに送ること」が記載されている。
　
（４）請求項１に係る発明について
　請求項１に係る発明と刊行物１〜３記載の発明を対比すると、請求項１に係る発明の「前記ファクシミリ部は、前記解像度変換手段により解像度変換された所定量のデータが全て所定のデータであることを検知する検知手段を有し、前記転送手段は前記検知手段により全て所定のデータであると検知された所定量のデータをコマンドで転送し、他のデータをドットイメージデータで転送すること」が、いずれの刊行物に記載も示唆もされていない。
　そして、請求項１に係る発明はこの構成を有することにより、「転送する画像データを一部コマンドで転送するため転送時間が短縮される」といった顕著な効果を奏するものと認められる。
　してみると、請求項１に係る発明は、刊行物１〜３に記載された発明に基づいて当業者が容易に発明できたものとすることができない。
　また、請求項１の記載については、「縦横変換」に関し、「受信手段で受信された
ラインデータを記録ヘッドのノズル配列に合わせて
　
（５）請求項５に係る発明について
　請求項５に係る発明は、請求項１に係る発明の構成要件を全て含み、さらに他の構成要件を付加したものに相当するから、刊行物１〜４を検討してみても、上記（４）で説示した理由と同様に、刊行物１〜４に記載された発明に基づいて当業者が容易に発明できたものとすることはできない。
　
（６）結論
　以上のとおりであるから、特許異議の申立ての理由及び証拠によっては本件請求項１及び５に係る発明についての特許を取り消すことはできない。また、他に本件請求項１及び５に係る発明についての特許を取り消すべき理由を発見しない。
　したがって、本件請求項１及び５に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年６月１８日（２００４．６．１８）
【訂正の要旨】
審決（決定）の【理由】欄参照。
（５４）【発明の名称】
画像通信装置
（５７）【特許請求の範囲】
　【請求項１】　ファクシミリ部とプリンタ部とを有する画像通信装置であって、
　前記ファクシミリ部は、画像データを受信する受信手段と、前記受信手段によって受信された画像データを格納する格納手段と、前記格納手段に格納された画像データの解像度を変換する解像度変換手段と、前記解像度変換手段によって変換された画像データを前記プリンタ部に転送する手段と、前記格納手段に格納された画像データを前記解像度変換手段で変換しプリンタ部に転送するよう制御する第１の制御手段とを有し、
　更に前記プリンタ部は、
インク滴を吐出することにより画像を記録する記録ヘッドと、
ラインデータを記録ヘッドのノズル配列に合わせて
　前記横縦変換手段によって横縦変換されたデータに応じて記録材上に画像を記録する記録手段と、前記受信手段で受信されたデータを前記横縦変換手段で変換し前記記録手段で記録を行うよう制御する第２の制御手段とを有し、
　
前記ファクシミリ部は、前記解像度変換手段により解像度変換された所定量のデータが全て所定のデータであることを検知する検知手段を有し、前記転送手段は前記検知手段により全て所定のデータであると検知された所定量のデータをコマンドで転送し、他のデータをドットイメージデータで転送することを特徴とする画像通信装置。
　【
請求項２
請求項１
　【
請求項３
　【
請求項４
請求項１
　【
請求項５
　【
請求項６
　更に、前記プリンタ部は、前記ファクシミリ部から転送されるデータを受信する受信手段と、
　前記ファクシミリ部から転送されるデータを一時的に蓄積する第２のバッファ手段と、前記第２のバッファ手段のデータを復号する復号手段と、前記復号化手段で復号されたデータを一時的に蓄積する第３のバッファ手段と、
　前記第３のバッファ手段のデータを横縦変換する横縦変換手段と、
　前記横縦変換手段で横縦変換されたデータを一時的に蓄積する第４のバッファ手段と、前記第４のバッファ手段のデータを記録する記録手段と、前記横縦変換手段によってデータを横縦変換し前記第４のバッファに蓄積させるよう制御する第２の制御手段とを有することを特徴とする画像通信装置。
　【
請求項７
請求項６
　【
請求項８
請求項７
　【
請求項９
請求項７又は８
　【
請求項１０
請求項６
　【
請求項１１
請求項６
　【
請求項１２
　前記第４バッファ手段内のデータの黒データの存在範囲を検知する範囲検知手段と、
　前記黒データの存在範囲を示すデータを記憶する記憶手段と、
　前記記録ヘッドの位置に応じた信号をカウントするカウンタ手段とを有し、
　前記カウンタ手段のカウント値と前記記憶手段内の黒データの存在範囲を示すデータとに応じて前記記録手段による記録の開始、又はパルスモータ駆動用の信号をカウントするよう制御することを特徴とする
請求項６
　【
請求項１３
請求項６
　【
請求項１４
請求項１２
　【
請求項１５
請求項１４
　【
請求項１６
請求項６乃至１５
　【
請求項１７
請求項１６
【発明の詳細な説明】
　【０００１】
　【産業上の利用分野】
　本発明は受信された画像データに応じて記録材上に画像を記録する画像通信装置に関する。
　【０００２】
　【発明の背景】
　従来よりホストコンピュータ等から出力される画像データを記録する、例えばインクジェットプリンタ等のシリアルプリンタが知られている。この様なプリンタはセントロニクスインタフェース等の汎用インタフェースを介してホストコンピュータと接続され、ホストコンピュータから記録ヘッドの１主走査に対応する画像データが送られ、プリンタ内のバッファに格納されると記録動作を行い、主走査終了毎に記録ヘッドの記録幅に応じた量の紙送り（副走査）を行う。この主走査及び副走査を複数回繰り返すことにより１頁の画像の記録が行われる。
　【０００３】
　【発明が解決しようとしている課題】
　最近この様なシリアルプリンタを記録部として用いたファクシミリ装置が提案されている。この様なファクシミリ装置では、前述のホストコンピュータとプリンタの場合と同様画像データの送受信を制御するファクシミリ部とプリンタ部をセントロニクスインタフェース等の汎用インタフェースで接続して、受信画像データのプリンタ部への転送を行っていた。
　【０００４】
　通常ファクシミリにおいては、画像データはライン単位で扱われる。このためシリアルタイプのプリンタで受信画像データで記録するためには、プリンタのもつ記録ヘッドの記録素子配列に合わせたデータに変換（横縦変換）する必要がある。
　【０００５】
　更に、受信画像データの解像度とプリンタの記録の解像度が異なる場合、画像データの解像度を変換する必要も生じてくる。
　【０００６】
　この様な横縦変換、解像度変換の両方をファクシミリ部で行うと、ファクシミリ部のＣＰＵの負荷が重くなり、プリンタ部へのデータ転送中に別の画像を送信したり受信したりする際過負荷となっていた。
　【０００７】
　又、ファクシミリ部からプリンタ部へのデータ転送は、セントロニクスインタフェースを介して生データとして転送していたため転送するのに多大な時間を要した。
　【０００８】
　本発明は上記点に鑑みてなされたもので、その目的とするところは、ファクシミリ部の負荷を軽減させることが可能な画像通信装置を提供することにある。
　【０００９】
　更に本発明の目的は、受信画像データの記録に要する時間を短縮することが可能な画像通信装置を提供することにある。
　【００１０】
　【課題を解決するための手段】
　上記目的を達成するため、本発明による画像通信装置は、ファクシミリ部とプリンタ部とを有する画像通信装置であって、前記ファクシミリ部は、画像データを受信する受信手段と、前記受信手段によって受信された画像データを格納する格納手段と、前記格納手段に格納された画像データの解像度を変換する解像度変換手段と、前記解像度変換手段によって変換された画像データを前記プリンタ部に転送する手段と、前記格納手段に格納された画像データを前記解像度変換手段で変換しプリンタ部に転送するよう制御する第１の制御手段とを有し、更に前記プリンタ部は、
インク滴を吐出することにより画像を記録する記録ヘッドと、
ラインデータを記録ヘッドのノズル配列に合わせて
前記ファクシミリ部は、前記解像度変換手段により解像度変換された所定量のデータが全て所定のデータであることを検知する検知手段を有し、前記転送手段は前記検知手段により全て所定のデータであると検知された所定量のデータをコマンドで転送し、他のデータをドットイメージデータで転送することを特徴とする。
　【００１３】
　又本発明による画像通信装置は、ファクシミリ部とプリンタ部とを有する画像通信装置であって、前記ファクシミリ部は、画像データを受信する受信手段と、
　前記受信手段により受信された画像データを格納する格納手段と、前記格納手段に格納された画像データの解像度を変換する解像度変換手段と、前記解像度変換手段で解像度変換された画像データを前記プリンタ部に転送するために一時的に蓄積する第１のバッファ手段と、前記第１のバッファ手段のデータをプリンタ部に転送する転送手段と、前記格納手段により格納された画像データの解像度を前記解像度変換手段で変換し前記第１バッファ手段に蓄積させるよう制御する第１制御手段とを有し、更に、前記プリンタ部は、前記ファクシミリ部から転送されるデータを受信する受信手段と、前記ファクシミリ部から転送されるデータを一時的に蓄積する第２のバッファ手段と、前記第２のバッファ手段のデータを復号する復号手段と、前記復号化手段で復号されたデータを一時的に蓄積する第３のバッファ手段と、前記第３のバッファ手段のデータを横縦変換する横縦変換手段と、前記横縦変換手段で横縦変換されたデータを一時的に蓄積する第４のバッファ手段と、前記第４のバッファ手段のデータを記録する記録手段と、前記横縦変換手段によってデータを横縦変換し前記第４のバッファに蓄積させるよう制御する第２の制御手段とを有することを特徴とする。
　【００１４】
　【作用】
　第１の発明によれば、ファクシミリ部の制御を行う第１制御手段が画像データの解像度変換を行う解像度変換手段を制御し、プリンタ部の制御を行う第２制御手段が画像データの横縦変換を行う横縦変換手段の制御を行う。
　【００１５】
　又第２の発明によれば、画像データの受信処理の制御を行う第１制御方法が解像度変換手段と、画像データの配列変換手段のうちの一方を制御し、記録処理の制御を行う第２制御手段が他方を制御する。
　【００１７】
　又第３の発明によれば、ファクシミリ部において受信された画像データの解像度変換を行って第１バッファ手段に格納し、転送手段によりプリンタ部に転送する。プリンタ部においては転送されてくる画像データを第２バッファ手段に格納した後復号手段により復号し、その後横縦変換手段により横縦変換した後第４バッファ手段に格納し、記録手段により記録する。
　【００１８】
　【実施例】
　以下、本発明の実施例を図面を参照しながら詳細に説明する。図１は本発明を適用したファクシミリ装置を示す断面図である。図１において、Ａは原稿を光学的に読み取る読取ユニット、Ｂはインクジェット記録装置である記録ユニット、Ｃは記録紙カセットとこれに積載されたカットシートである記録紙を分離して記録ユニットに供給する給紙ユニットである。
　【００１９】
　本図において、まず記録紙の流れについての概略説明を行う。一連の記録紙搬送経路は矢印Ｇで示されており、まず記録紙カセット５０に積載された記録紙１２は、給紙ローラ５１及び分離爪５２によってピックアップされ、搬送ローラ５によって搬送されて記録ユニットに送り込まれる。記録ユニットでは記録ヘッド２１が紙面垂直方向に往復移動して主走査を行うことによって記録が行われ、装置内をある程度の距離だけ搬送した後、排紙ローラ９によって排紙スタッカ５３に排出積載される。排紙ローラ９の軸上には、フォトセンサ１３が配置されており、このセンサにより記録ヘッドのインク無しと排紙ローラ付近の記録紙ジャムを検知する様に構成されている。
　【００２０】
　図２は図１に示すファクシミリ装置の記録部Ｂの概略構成を示す図である。図２において２１は記録ヘッドであり、本実施例ではインクタンクを内蔵し、インクが無くなった時に記録ヘッドごと新品と交換し得るカートリッジ式のインクジェット記録ヘッドを搭載している。
　【００２１】
　本実施例で用いる記録ヘッド２１は、インクジェット方式の記録ヘッドであり、解像度が３６０ＤＰＩであり、副走査方向（矢印Ａ方向）に６４個のノズル列を持ち、ノズル内に設けた電気熱変換素子の発熱によってインク中に生じた膜沸騰の圧力によってノズル先端の吐出口よりインク滴を吐出するものである。
　【００２２】
　記録ヘッド２１は不図示のキャリッジにより記録紙１２の搬送方向（副走査方向）とは直角方向、即ち主走査方向（紙面垂直方向）に往復移動し、この移動時及び復動時に記録走査を行う。
　【００２３】
　２２は記録紙搬送ローラであり、記録紙の給紙、排紙及び記録ヘッド２１で記録を実行するときに、副走査方向の位置を定めるために３６０ｄｐｉの精度で記録紙を搬送する。２３は記録紙センサであり、本センサの検知部に記録紙がある場合にはＯＮ状態になり、ない場合にはＯＦＦ状態になる。この記録紙センサ２３により、記録紙の有無及び先端、後端を検知する。１３は記録紙の記録面の画像密度を検知する反射型ホトセンサである。本実施例では１頁の画像記録後に記録紙後端部に記録される所定パターン（黒マーク）の画像密度をこのセンサにより検出し、検出結果に応じてインクの有無、記録紙の搬送不良をチェックする。このホトセンサはＬＥＤとホトトランジスタで構成され、画像が記録されている部分のような黒率の高い部分ではＬＥＤの反射光が少ないためにホトトランジスタはＯＦＦ状態となり、記録紙の地色のような反射率の高い部分ではＯＮ状態となる。ＬＥＤ光源はインクの材質等により吸収する波長が異なるので、インクの材質により光源を選択する必要がある。本実施例では赤色の波長に対して吸収率の高いインクを用いているので赤色のＬＥＤを用いている。またホトセンサは機構上排出口の近くにあるので、外光の影響を受けない位置に置くように注意する。排紙ローラ９はゴム等の材質でできており、記録紙及び排紙ローラ９上にない場合、フォトセンサ１３はオフ状態となる。
　【００２４】
　図３は図１、図２に示すファクシミリ装置の電気的な構成をデータの流れを中心に表したブロック図である。本実施例におけるファクシミリ装置はファクシミリ部１００及びプリンタ部２００から成り、ファクシミリ部１００からプリンタ部２００へのデータ転送をセントロニクスインタフェースを介して行う。まずファクシミリ部１００について説明する。図中１０１は電話回線を介して画像データの送受信を行うためのモデム、１０２は受信されたデータを復号化する復号化器、１０３は画像データを符号化する符号化器、１０４は画像データを蓄積するための画像バッファ、１０５は画像バッファ１０４に蓄積された画像データの解像度変換を行う解像度変換回路、１０６は１ライン分のデータが全て白データであることを検知するための全白検知回路、１０７は解像度変換回路１０５により解像度変換されたラインデータを４ライン分格納可能な４ラインバッファで、２ライン分は解像度変換前のデータ格納用に、残り２ライン分は解像度変換後のデータ格納用として用いられる。１０８は種々のファンクションキー表示器等を備えた操作部、１０９は送信時及びコピー時に原稿画像を読み取る読取部、１１０は４ラインバッファ１０７に格納されたラインデータをプリンタ部２００に送出するためのセントロニクス送信回路、１１１はファクシミリ部１００の動作を制御するための制御部（ＣＰＵ１）である。
　【００２５】
　次にプリンタ部２００について説明する。２０１はセントロニクス送信回路１１０から送信されてくるデータを受信するためのセントロニクス受信回路、２０２はセントロニクス受信回路２０１で受信されたデータを一時的に格納するレシーブバッファ、２０３はレシーブバッファ２０２に格納されたデータをプログラム処理によりデコードしデコード後のラインデータを格納するラスタバッファ、２０４はラスタバッファ２０３に格納されたラインデータを縦方向のデータに変換する横縦変換回路、２０５、２０６は横縦変換回路２０４から出力されるデータを格納するプリントバッファで、各々記録ヘッドの１回の主走査により記録される領域に対応したデータ記憶容量を持つ。
　【００２６】
　又、２０７は通信管理レポート出力時にファクシミリ部１００より送出されるキャラクタコードデータを格納するテキストバッファ、２０８はテキストバッファ２０７内に格納されたキャラクタコードをドットイメージに変換した後プリントバッファ２０５又は２０６に送出するためのキャラクタジェネレータ、２０９はプリントバッファ２０５又は２０６から読出されたデータをラッチするラッチ回路、２１０はラッチ回路２０９にラッチされたデータに応じて駆動されることによりインク滴を吐出する記録ヘッド（図１、図２の記録ヘッド２１に相当）である。
　【００２７】
　又、２１１は記録ヘッドの記録位置手前で記録紙を検知する記録紙センサ（図１、図２における記録紙センサ２３に相当）、２１２は搬送ローラ５、２２、排紙ローラ９等の駆動力を発生するパルスモータ等から成る記録紙搬送部、２１３はキャリッジを記録紙に対して往復移動させるための駆動力を発生するパルスモータ等から成るキャリッジ駆動部、２１４は記録紙の後端部に記録される黒マークを検出するためのフォトセンサ（図１、図２のフォトセンサ１３に相当）、２１５はプリンタ部２００のデータ転送処理及び各負荷の動作を制御する制御部（ＣＰＵ２）である。
　【００２８】
　ファクシミリ部１００からプリンタ部２００へのデータ転送は、セントロニクス送信回路１１０とセントロニクス受信回路２０１間の信号線ＰＤ０〜ＰＤ７により、信号線ＰＳＴＢに発生するパルス信号に同期したタイミングで行われる。又このデータ転送は信号部ＢＵＳＹがオフの場合に可能となる。又プリンタ部２００のＣＰＵ２からファクシミリ部１００のＣＰＵ１に対して記録紙の位置に応じた信号Ｐａｐｅｒ−ｓｔｓ１、Ｐａｐｅｒ−ｓｔｓ２が出力される。ＣＰＵ１はこの信号に基づいてフォトセンサ２１４の黒マークの検知タイミングを決定する。又、フォトセンサ２１４の出力はファクシミリ部１００のＣＰＵ１に入力される。
　【００２９】
　次に動作説明する。受信されたデータはモデム１０１によって復調された後、復号化器１０２で復号化してドットイメージデータに展開した後、通信エラーのチェックが行われる。その後このドットイメージデータは復号化器１０３で再び符号化されて、画像バッファ１０４に格納される。そしてこの画像バッファ１０４に格納した符号化データを順次再度読出し、ＣＰＵ１（１１１）のプログラム処理により復号化して１ラインのドットイメージデータに展開し、４ラインバッファ１０７に格納する。このドットイメージデータを解像度変換回路１０５に送出し、解像度変換を行った後４ラインバッファ１０７の残りの２ライン分に格納する。ここで全白検知回路１０６が動作し、格納した１ライン分のデータの全てが白データであるかどうかチェックする。全て白データの場合、ＣＰＵ１（１１１）に対して全白データであることを通知し、ＣＰＵ１はセントロニクス送信回路１１０に１ライン分のデータの全てが白データであることを示すコマンドを送出し、その後４ラインバッファ１０７内の前述の１ライン分のデータを消去し、次のデータを格納できるようにする。そうでない場合、４ラインバッファ１０７の解像度変換された画像データをドットイメージデータのまま送出する。
　【００３０】
　４ラインバッファ１０７に少なくとも１ライン分のデータが格納されると、ＣＰＵ１はＢＵＳＹ信号をチェックし、ＢＵＳＹ信号がオフであれば、４ラインバッファ１０７に格納された解像度変換後のデータをセントロニクス送信回路１１０及びセントロニクス受信回路２０１を介してレシーブバッファ２０２に送出する。このＢＵＳＹ信号はレシーブバッファ２０２に空きがあればオフ状態になっている。したがって４ラインバッファ１０７からレシーブバッファ２０２へのデータ転送は、レシーブバッファ２０２に空きがあれば行われる。又、画像バッファ１０４から４ラインバッファ１０７への転送は、４ラインバッファ１０７に少なくとも１ライン分の空きがあれば行われる。
　【００３１】
　ここで解像度変換は、受信画像の解像度が記録の解像度（３６０ｄｐｉ×３６０ｄｐｉ）と異なるため、画像データの解像度を記録の解像度に合わせるために行われる。
　【００３２】
　次にプリンタ部２００におけるデータの流れについて説明する。前述の如くファクシミリ部１００よりセントロニクスインタフェースを介して送られてくるデータはＲＡＭにより構成されたレシーブバッファ２０２に一時格納される。ここで、レシーブバッファ２０２に格納されるデータは解像度変換回路１０５により所望の解像度（３６０ｄｐｉ）に変換された１ラインのドットイメージデータ及びコマンドである。ＣＰＵ２（２１５）はレシーブバッファ２０２の内容をチェックする。画像データの場合はレシーブバッファ２０２から読出され、ラスタバッファ２０３に転送される。又、コマンドの場合その内容を解釈する。コマンドが１ラインのデータが全白であることを示す白スキップコマンドの場合、ラスタバッファ２０３の該当する記憶領域にはデータを格納せず、次のラインに次の画像データを格納する様にする。
　【００３３】
　ここで、ラスタバッファ２０３は８ライン分の容量（８×３６４０ビット）を持つメモリである。このラスタバッファ２０３に８ライン分のデータが格納されると、ラスタバッファ２０３の左端のデータから順番に横縦変換回路２０４に送り、横縦変換を行い、プリントバッファ１（２０５）又はプリントバッファ２（２０６）の一方に転送する。プリントバッファ１、２は共に記録ヘッド２１の１回の走査により記録されるデータ量に応じた記憶容量（６４×３６４０ビット）を持ったメモリであり、一方がデータの読み出し（記録）に用いられる間、他方は次走査のためのデータの格納に用いられる。
　【００３４】
　ＣＰＵ２は８ライン分のデータの横縦変換の回数をカウントし、８回カウントを行うと即ち、６４ライン分のデータの横縦変換が終了すると、１主走査分のデータが揃ったと判断して印字スタート信号を出力し、キャリッジの移動を開始してプリントバッファ１（２０５）又はプリントバッファ２（２０６）に格納されたデータに基づく記録動作を開始する。そして６４ドットごとにデータをラッチ回路２０９に送り、ラッチ回路２０９にラッチされたデータに応じて記録ヘッド２１０の吐出ヒータが駆動されて記録が行われる。この間、他方のプリントバッファには次の主走査のデータが格納される。
　【００３５】
　ＣＰＵ２はプリントバッファ内の黒データがどのアドレスからどのアドレス迄格納されているか予め検知し、その最後のアドレス迄データが転送されるとその走査を終了し、プリントバッファを切り換え、データ格納に用いられたプリントバッファを記録用に、記録に用いられたプリントバッファをデータ格納用にする。
　【００３６】
　次に、実際の記録動作及び、レシーブバッファ２０２からプリントバッファ２０５又は２０６へのデータの転送タイミングについて説明する。まずファクシミリ部１００から画像データが転送され、そのデータがレシーブバッファ２０２に格納される。ＲＡＭ２１６のワークエリアにはラスタバッファ２０３に格納されたライン数をカウントするカウンタ１が転送されており、ＣＰＵ２はラスタバッファ２０３に１ラインのデータを格納するごとに、カウンタ１をインクリメントした後、カウンタ１のカウント値が８に達したか否かを判断する。カウンタ１のカウント値が８に達するまではレシーブバッファ２０２からラスタバッファ２０３へのデータ転送を続行する。そしてカウンタ１のカウント値が８に達すると、レシーブバッファ２０２からラスタバッファ２０３へのデータ転送を中断し、更にラスタバッファ２０３内のデータを左端から順番に横縦変換を行った後、そのデータをプリントバッファ１（２０５）に格納する。ＲＡＭのワークエリアには又、この横縦変換の実行回数をカウントするカウンタ２を持ち、ＣＰＵ２は８ライン分のデータの横縦変換を実行する毎にインクリメントした後、カウンタ２のカウント値が８に達したか否かを判断する。カウンタ２のカウント値が８に達するまで、即ち６４ライン分のデータの格納が終了するまでは、前述のレシーブバッファ２０２からラスタバッファ２０３への８ライン分のデータ転送、及びラスタバッファ２０３からプリントバッファ１（２０５）へのデータ転送を繰り返し実行する。ここでカウンタ２はたかだか８回分のカウント値をカウントすればよいので、１主走査分データ数（６４×３６４０）をカウントするよりもはるかに簡単である。
　【００３７】
　カウント２のカウント値が８に達すると、ＣＰＵ２はプリントバッファ１に格納された１走査目のデータの記録を行うための記録スタート信号を発生する。ここでＣＰＵ２記録に先立ちプリントバッファ１（２０５）に格納されたデータのうち黒データがどのアドレスからどれだけの幅存在するか（図３．ａｒｅａｌ参照）を予め検知しＲＡＭ２１６の所定領域に記憶しておく。ここでプリントバッファ１、２は、そのアドレスが記録ヘッド２１０により行われる走査領域上の位置と１対１の対応関係にあるものである。又、記録ヘッド２１０の位置は不図示のホームポジションを基準として、キャリッジ駆動部２１３のキャリッジ駆動用パルスモータに供給されたパルス数をカウントするカウンタ４のカウント値に応じて判断される。即ちホームポジションから離れる方向に移動を行う場合は、キャリッジ駆動用パルスモータに供給されたパルス数をカウントするカウンタ４のカウント値をインクリメントし、ホームポジションに戻る方向に移動を行う場合は、キャリッジ駆動用パルスモータに供給されるパルス数に応じてカウンタ４のカウント値をデクリメントする。尚、このカウンタ４もＲＡＭ２１６の所定領域に設定されているものである。このカウント値により記録ヘッド２１０の現在位置を検知することができる。
　【００３８】
　記録スタート信号の発生後記録ヘッド２１０がホームポジションから移動し、黒データの存在する最初のカラム位置に応じた位置に到達したことを検知すると、プリントバッファ１に格納されたデータは、この位置から６４ドットずつ順番に読み出され、ラッチ回路２０９にラッチされ、ラッチデータに応じて記録ヘッド２１０のインク吐出ヒータが駆動されて第１走査の記録が行われていく。ＲＡＭ２１６の所定領域には黒データの幅に応じたカラム数がセット可能なカウンタ３が設定されており、黒データの存在する最初のカラム位置からデータが読み出され、記録が行われる毎にデクリメントされていく。このカウント動作もキャリッジ駆動用パルスモータに供給されるパルスに応じたパルス信号をカウントすることにより行われる。そしてこのカウンタ３のカウント値が０になると第１走査は終了と判断し記録ヘッドはその位置に停止する。そして第１走査終了に応じて記録紙搬送中２１２が駆動され、記録ヘッド２１０の記録幅に応じた距離の紙送り（副走査）が行われる。
　【００３９】
　尚、第１走査目のデータの記録中に第２走査目のデータは第１走査目のデータ転送と同様にしてレシーブバッファ２０２からプリントバッファ２（２０６）に転送され、格納される。従って、第１走査の終了前に第２走査目のデータプリントバッファ２（２０６）に格納完了していれば、第１走査の終了時点でプリントバッファ２（２０６）をデータ読み出し用に、プリントバッファ１（２０５）をデータ格納用に切り換え、第１走査の場合と同様にプリントバッファ２（２０６）からデータが読み出されて第２走査目の記録が行われ、プリントバッファ１（２０５）に第３走査目のデータの格納が行われる。
　【００４０】
　又、第１走査の終了時点で第２走査目のデータがプリントバッファ２（２０６）に格納されていない場合は、記録ヘッド２１０は第１走査の印字終了位置で第２走査目のデータがプリントバッファ２に揃うまで待機する。又、待機中所定時間（例えば２秒）経過すると記録ヘッド２１０は一旦ホームポジションに戻る。そして第２走査目のデータが揃うと、プリントバッファ２（２０６）をデータ読み出し用に、プリントバッファ１（２０５）をデータ格納用に切り換え、プリントバッファ２（２０６）からデータが読み出されて第２走査目の記録が行われる。又、この第２走査の記録の間、第３走査目のデータがプリントバッファ１（２０５）に格納されていく。そして第２走査終了に応じて記録ヘッド２１０の記録幅に応じた紙送りが行われる。
　【００４１】
　この様に、プリントバッファ１、２を交互にデータ読み出し（記録）用、データ格納用に切り換えて前述した動作を以降繰り返すことにより１頁の画像の記録を行う。
　【００４２】
　前述のように本実施例におけるファクシミリ装置は、プリントバッファ１（２０５）又は２（２０６）に格納されたデータのうち黒データがどの位置からどれだけの幅存在するかを予め検知しＲＡＭに記憶している。
　【００４３】
　従って、主走査終了後次の主走査を開始する際、現走査の記録終了位置と次走査の黒データの存在範囲を参照することによって、終了位置からキャリッジの移動距離が短い方を次の主走査の印字開始位置として記録を行う。このためムダなキャリッジの移動がない高速の印字が実現できる。
　【００４４】
　ただし、例えばケイ線のように連続する２つの主走査にまたがる線のデータが存在する場合、印字方向を各々の主走査で逆にするとケイ線ズレをおこすので記録終了位置、次の主走査の印字範囲にかかわらず同一方向に印字されるよう制御されている。
　【００４５】
　又、通信終了後又はユーザにより操作部１０８から通信管理レポートの出力が指示された時ＣＰＵ１は通信管理情報をキャラクタデータでセントロニクスインタフェースを介してプリンタ部２００に送る。この場合受信データの記録時とは異なり、画像バッファ１０４、４ラインバッファ１０７は用いられない。プリンタ部２００側では、受信されたキャラクタデータがレシーブバッファ２０２に格納される。レシーブバッファ２０２に格納されたデータは順次読み出され、解析された後テキストバッファ２０７に格納される。テキストバッファ２０７に格納されたデータキャラクタはキャラクタジェネレータによりドットイメージに展開されてプリントバッファ１（２０５）又は２（２０６）に格納される。
　【００４６】
　以後の記録動作は受信画像記録時と同様である。
　【００４７】
　図４〜図６は上記動作を行うためにＣＰＵ１、２が行う制御のフローチャートである。以下更に説明する。
　【００４８】
　図４は図３で示したブロック図において、ＣＰＵ１がセントロニクス送信回路１１０に画像データを転送する際のフローチャートである。
　【００４９】
　まずステップＳ１でセントロニクス送信回路１１０内に２面ある入力バッファ１、２のどちらに画像データを転送するかを調べる。ここでＩＢＷＳＥＬがＨならば、入力バッファ１に転送する順番であるので、ステップＳ２で入力バッファ１が画像データライトイネーブルなっているかを調べる。ここでイネーブルとなっていればステップＳ３で入力バッファ１に画像データを転送する。ステップＳ４で画像データの転送が終了したならばステップＳ５に進み、ＣＰＵ１はＩＢＷＥＮＤをセントロニクス送信回路１１０に対して出力することにより、画像データの転送終了をセントロニクス送信回路１１０に通知する。この時点でセントロニクス送信回路１１０は入力バッファ１にある画像データをセントロニクス送信回路１１０内の出力バッファ１に転送を開始する。ここでは入力バッファ１に格
納された画像データは出力バッファ１に、入力バッファ２に格納された画像データは出力バッファ２に必ず転送される。またステップＳ５でＩＢＷＥＮＤを出力することにより、ステップＳ１でのＩＢＷＳＥＬが切り替わり、次ラインの転送時には入力バッファを切り換えることができる。ステップＳ６で次ラインの画像データがある場合にはステップＳ１に戻り、今回はＩＢＷＳＥＬがＬとなっているのでステップＳ７に進み、入力バッファ２が画像データライトイネーブルとなっているかを調べる。ここでイネーブルであれば、ステップＳ８に進み、入力バッファ２に画像データを転送する。ステップＳ９で画像データの転送が終了すれば、同様にステップＳ５に進みＩＢＷＥＮＤを出力し入力バッファを切り換え、ステップＳ６に進む。
　【００５０】
　図５は図３においてセントロニクス送信回路１１０の出力バッファ１、２からプリンタ部のセントロニクス受信回路２０１への画像データ転送を示すフローチャートである。
　【００５１】
　図５において、まずステップＳ１１でセントロニクス送信回路１１０のステータスであるＯＵＴＥＮＢがＨかどうかを調べる。このステータスは次に出力される順番のバッファが出力イネーブルで、かつ画像データ出力中でなければＨとなる。ここでＯＵＴＥＮＢがＨであればステップＳ１２に進み、次に出力される画像データが全白検知回路１０６により全白と判断されているか否かを調べる。ここで次に出力される画像データが全白でなければステップＳ１３に進み、セントロニクス送信回路１１０に対してＯＵＴＥＮＤＣを出力し、プリンタ部に対してこの出力バッファ中の画像データの転送を開始する。データの転送を開始したらステップＳ１４でデータ転送の終了を待つ。このＤＢＳＹはデータ転送中にＨとなるステータスである。ＤＢＳＹがＬになれば画像データの転送が終了しているのでステップＳ１５に進み、次ラインの画像データがあるかどうかを調べる。
　【００５２】
　先のステップＳ１２において、次に転送する画像データが全白であると判断されれば、ステップＳ１６に進み、画像データを転送するかわりに白スキップコマンドをプリンタ部に出力する。そしてステップＳ１７で、この画像データは出力する必要がないので、そのまま出力バッファを切り換える操作を行う。ここで出力されずに残った画像データは、次に入力バッファからこの出力バッファに画像データが転送される時点で消去される。そしてステップＳ１５に進み、次ラインの画像データがあるかどうかを調べる。ここで次ラインがない場合にはステップＳ１９で排紙コマンドをプリンタ部に送出し終了する。
　【００５３】
　図６は図３におけるＣＰＵ２のセントロニクス送信回路１１０より転送されたデータの処理を示すフローチャートである。ここではすでに記録紙の記録位置の給紙と頭出しは正常に完了しているものとする。
　【００５４】
　最初に、ステップＳ２１においてＣＰＵ２はレシーブバッファ２０２からのデータを取り込む。このデータをステップＳ２２でコマンドか画像データの一部かを判断する。このデータが画像データならばステップＳ２３に進み、ラスタバッファ２０３の次のアドレスに格納する。このラスタバッファ２０３は前述のように８ライン分の容量を持ったメモリである。次にステップＳ２４でこのラスタバッファ２０３に８ライン分の画像データが揃ったかを調べる。８ライン分のデータが揃っていなければステップＳ２１に戻り、次のデータを取り込む。ステップＳ２４で８ライン分の画像データが揃っていればステップＳ２５に進み、この８ライン分のデータの横縦変換を行い記録ヘッド２１０の１主走査分の容量を持つプリントバッファ１又は２に格納する。次にステップＳ２６に進み、このプリントバッファ１又は２に記録ヘッド２１０の１主走査分の画像データが揃ったならばステップＳ２７に進み印字動作を開始する。そしてプリントバッファを切り換え、今までデータ格納用に用いていたプリントバッファが印字動作用になり、印字動作用であったプリントバッファをデータ格納用とする。ステップＳ２６でプリントバッファに記録ヘッド２１０の１主走査分の画像データが揃っていなければステップＳ２１に戻って再びデータを取り込む。先のステップＳ２２において、取り込んだデータがコマンドであると判断した場合にはステップＳ２９に進み、白スキップコマンドかどうかを判断する。このデータが白スキップコマンドである場合には画像データを格納するラスタバッファ２０３のアドレスを１ライン分先に進める。そしてステップＳ２４に進み、ラスタバッファ２０３に８ライン分のデータが揃ったかを調べる。
　【００５５】
　ステップＳ２９で白スキップコマンドでない場合にはステップＳ３１に進み、記録紙排紙コマンドかどうかを調べる。記録紙排紙コマンドである場合には１頁分の画像データの転送が終了したので、ステップＳ３２でラスタバッファ２０３に残っている画像データの横縦変換を行いプリントバッファに格納し、このプリントバッファ中の画像データの印字を開始する。印字終了後にステップＳ３４で記録紙の排紙動作を行い、１頁の記録動作を終了する。
　【００５６】
　以上説明したように、本実施例によれば以下の効果がある。
（１）ファクシミリ部とプリンタ部で解像度変換と水平／垂直変換を分散させて行うことにより、ファクシミリ部の負荷を軽減させることができ、プリンタ部に画像転送中でも別の画像を電話回線を介して送信したり受信したりする際も過負荷にならない。
（２）セントロニクス送信回路及びセントロニクス受信回路間を転送する画像データを一部コマンドで転送するため転送時間が短縮される。
（３）画像を記録する際、複数走査分のプリントバッファをもつようにしたため、印字スピードも高速化し、プリントバッファのアドレス管理も容易になった。
（４）双方向印字を行うとともに２つの主走査にまたがる様なケイ線等の画像データの場合は印字方向を同じにするので、高速化とともにケイ線ズレ等のない高画質の記録を行うことができる。
（５）解像度変換装置、垂直／水平変換のいずれか一方をプリンタ側にもたせること等によって設けた各バッファの容量と各バッファ間の転送のタイミングを最適化することで高速記録ができローコストのファクシミリ装置を提供できるようになった。
　【００５７】
　尚、上記実施例では、特にインクジェット記録方式の中でも熱エネルギーを利用して飛翔的液滴を形成し、記録を行うインクジェット方式の装置を例にとり説明した。
　【００５８】
　その代表的な構成や原理については、例えば、米国特許第４７２３１２９号明細書、米国特許第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。
　【００５９】
　このパルス形状の駆動信号としては、米国特許第４４６３３５９号明細書、米国特許第４３４５２６２号明細書に記載されているようなものが適している。なお、上記熱作用面の温度上昇率に関する発明の米国特許第４３１３１２４号明細書に記載されている条件を採用すると、更に優れた記録を行うことができる。
　【００６０】
　記録ヘッドの構成としては、上述の各明細書に開示されているような吐出口、液路、電気熱変換体の組み合わせ構成（直線状液流路又は直角液流路）の他に熱作用部が屈曲する領域に配置されている構成を開示する米国特許第４５５８３３３号明細書、米国特許第４４５９６００号明細書を用いた構成としてもよい。
　【００６１】
　加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成としてもよい。
　【００６２】
　加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
　【００６３】
　また、記録ヘッドに対しての回復手段、予備的な補助手段等を付加することは本発明の効果を一層安定できるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
　【００６４】
　更に、記録装置の記録モードとしては黒色等の主流色のみの記録モードだけではなく、記録ヘッドを一体的に構成するか複数個の組み合わせによってでもよいが、異なる色の複色カラー、又は混色によるフルカラーの少なくとも一つを備えた装置としてもよい。
　【００６５】
　以上説明した本発明実施例においては、インクを液体として説明しているが、室温やそれ以下で固化するインクであって、室温で軟化するもの、もしくは液体であるもの、あるいは上述のインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものであればよい。
　【００６６】
　加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクとして吐出するものや、記録媒体に到達する時点では既に固化し始めるもの等のような、熱エネルギーによって初めて液化する性質のインクとしてもよい。このような場合インクは、特開昭５４−５６８４７号公報あるいは特開昭６０−７１２６０号公報に記載されるような、多孔質シート凹部又は貫通孔に液状又は固形物として保持された状態で、電気熱変換体に対して対向するような形態としてもよい。本発明においては、上述した各インクに対して最も有効なものは、上述した膜沸騰方式を実行するものである。
　【００６７】
　更に加えて、本発明に係る記録装置の形態としては、上述のようなファクシミリの形態を採るものの他ワードプロセッサやコンピュータ等の情報処理機器の画像出力端末として一体又は別体に設けられるもの、リーダ等と組み合わせた複写装置の形態を採るものであってもよい。
　【００６８】
　又、熱エネルギーを用いてインク滴を吐出するものに限らず、ピエゾ素子等を用いてインク滴を吐出するものであってもよい。
　【００６９】
　【発明の効果】
　以上の様に、第１の発明によれば、ファクシミリ部の制御を行う第１制御手段で解像度変換手段を制御し、プリンタ部の制御を行う第２制御手段で横縦変換手段を制御するので、第１制御手段の負荷を軽減することができ、画像データの送信又は受信と記録動作を並列に行う場合でも、記録に要する時間を増大させることなく処理できる。
　【００７０】
　又第２の発明によれば、受信処理を制御する第１制御手段が解像度変換手段及び画像データの配列変換手段のうちのいずれか一方を制御し、記録処理の制御を行う第２制御手段が他方を制御するので、第１制御手段の負荷を軽減することができ、受信動作と記録動作を並列に行う場合でも、記録に要する時間を増大させることなく処理できる。
　【００７２】
　又第３の発明によれば、ファクシミリ部の制御を行う第１制御手段で解像度変換手段を制御し、プリンタ部の制御を行う第２制御手段で横縦変換手段を制御するので、第１制御手段の負荷を軽減でき、更にプリンタ部においてファクシミリ部から転送されてくるデータを復号して記録する様にしたので、ファクシミリ部からプリンタ部へのデータ転送時間を短縮することができ、記録に要する時間の短縮が可能になる。
【図面の簡単な説明】
　【図１】
　本発明を適用したファクシミリ装置の概略構成を示す断面図である。
　【図２】
　図１に示すファクシミリ装置の記録部の構成を示す図である。
　【図３】
　図１に示すファクシミリ装置の電気的構成を示すブロック図である。
　【図４】
　セントロニクス送信回路にデータを転送する際のフローチャートである。
　【図５】
　セントロニクス送信回路からセントロニクス受信回路へのデータ転送を示すフローチャートである。
　【図６】
　プリンタ部におけるデータ処理のフローチャートである。
　【符号の説明】
　９　排紙ローラ
　１３　フォトセンサ
　２１　記録ヘッド
　２２　記録紙搬送部
　２３　記録紙検知センサ
　２７　マーク
　１０４　画像バッファ
　１０５　解像度変換回路
　１０６　全白検知回路
　１１０　セントロニクス送信回路
　１１１　ＣＰＵ１
　２０１　セントロニクス受信回路
　２０２　レシーブバッファ
　２０３　ラスタバッファ
　２０４　横縦変換回路
　２０５　プリントバッファ
　２０６　プリントバッファ